(57)【要約】【課題】安定したサーボ特性を実現する光ピックアップを提供ことを目的とする【解決手段】光ディスクに対してレーザ光を照射する光学系が設けられるアクチュエータベースと、前記アクチュエータベースに取り付けられるカバー部材と、前記アクチュエータベースを支持するピックアップベースと、を備え、前記アクチュエータベースは前記ピックアップベースに対してラジアル方向に移動可能であると共に前記カバー部材は前記ピックアップベースに対してラジアル方向に移動不能であって、前記カバー部材はラジアル方向に弾性変形可能な弾性部材を備え、前記弾性部材は前記ピックアップベースと前記アクチュエータベースの間に介在して前記アクチュエータベースのラジアル方向の振動が抑制されて前記ピックアップベースに伝わるようにする【選択図】図１
2014203479.tif 000002
【特許請求の範囲】
【請求項１】
光ディスクに対してレーザ光を照射する光学系が設けられるアクチュエータベースと、
前記アクチュエータベースに取り付けられるカバー部材と、
前記アクチュエータベースを支持するピックアップベースと、
を備え、
前記アクチュエータベースは前記ピックアップベースに対してラジアル方向に移動可能であると共に前記カバー部材は前記ピックアップベースに対してラジアル方向に移動不能であって、
前記カバー部材はラジアル方向に弾性変形可能な弾性部材を備え、前記弾性部材は前記ピックアップベースと前記アクチュエータベースの間に介在して前記アクチュエータベースのラジアル方向の振動が抑制されて前記ピックアップベースに伝わるようにする光ピックアップ。
【請求項２】
前記カバー部材は前記アクチュエータベースのラジアル方向への移動量を規制する規制手段の少なくとも一部を構成する請求項１に記載の光ピックアップ。
【請求項３】
前記アクチュエータベースのラジアル方向への移動量を規制する前記規制手段は前記アクチュエータベース及び前記カバー部材の一方が有する突出部と他方が有する前記突出部が挿通される孔部とから構成され、前記孔部のラジアル方向の長さを前記突出部のラジアル方向の長さよりも長く設定した請求項２に記載の光ピックアップ
【請求項４】
前記光学系としてレンズを保持するレンズホルダを有し、前記カバー部材は前記アクチュエータベースと共に前記レンズホルダのフォーカス方向への移動量を規制する規制手段を構成する請求項１〜請求項３のいずれか１項に記載の光ピックアップ。
【請求項５】
前記突出部と前記孔部の間に前記弾性部材が設けられている請求項３に記載の光ピックアップ。
【請求項６】
前記ピックアップベースは合成樹脂製である請求項１〜請求項５のいずれか１項に記載の光ピックアップ。
【発明の詳細な説明】
【技術分野】
【０００１】
本発明は、光ピックアップに関する。
【背景技術】
【０００２】
光ピックアップはＢｌｕ−ｒａｙ（登録商標） ＤｉｓｃやＤＶＤなどの光ディスクから情報を読み取ったり、光ディスクに情報を書き込んだりする際に利用される。光ピックアップは一般に、ピックアップベース、光源、対物レンズアクチュエータを備える。対物レンズアクチュエータはピックアップベースの内部に配置されるアクチュエータベース、光源から出射される光を光ディスクの情報記録面に集光するレンズ（対物レンズ）、レンズを保持するレンズホルダを備える。光ピックアップは対物レンズが集光した光で情報を読み取り、また対物レンズが集光した光で情報を書き込む。
【０００３】
光ピックアップは光ディスクで反射した光を読み取って出力する電気信号を最も適正な値で得ることができるよう、内蔵されたレンズなどを適正な位置に調整する必要がある。そこで対物レンズは少なくともフォーカス方向、ラジアル方向及びタンジェンシャル方向に移動可能に構成される。なお、フォーカス方向とは光ディスクの情報記録面に対して垂直な方向である。ラジアル方向とは光ディスクの半径方向である。トラッキング方向と称されることがある。タンジェンシャル方向とは光ディスクの情報トラックの接線と平行な方向である。
【先行技術文献】
【特許文献】
【０００４】
【特許文献１】特開２００１−１８４６６８号公報
【発明の概要】
【発明が解決しようとする課題】
【０００５】
例えば特許文献１にはその一端がレンズホルダに固定され、レンズホルダを記録媒体の垂直方向及び半径方向に移動可能に支持するワイヤが開示されている。レンズを変位させる際にはレンズホルダを備える対物レンズアクチュエータが振動するため、これに伴ってアクチュエータベースも振動する。
【０００６】
近年は光ピックアップの小型化、薄型化が進み、これに伴ってピックアップベースの小型化、薄型化が進んでいる。小型化、薄型化によってピックアップベースの剛性が低下すると二次共振周波数が低下して二次共振の影響が顕著に現れ、光ディスクの面反りや偏心に伴う面ブレに対物レンズアクチュエータのサーボが追従できず、安定したサーボ特性を維持できない要因となっていた。
【０００７】
さらに従来はピックアップベースを亜鉛合金製とすることでその質量によりアクチュエータベースの振動が吸収（減衰）されていた。しかしながら高倍速再生等ピックアップベースを高速で移動させるためにはピックアップを軽量化する必要があり、そのためにピックアップベースが合成樹脂製とされると亜鉛合金製のピックアップベースに比べて振動を吸収せずアクチュエータベースの振動が十分に吸収されないままピックアップベースに伝わることとなり、これも安定したサーボ特性を維持できない要因となっていた。  
【０００８】
本発明は上述した問題点に鑑み、安定したサーボ特性を実現する光ピックアップを提供すること目的とする。
【課題を解決するための手段】
【０００９】
上記目的を達成するために本発明の光ピックアップは、光ディスクに対してレーザ光を照射する光学系が設けられるアクチュエータベースと、前記アクチュエータベースに取り付けられるカバー部材と、前記アクチュエータベースを支持するピックアップベースと、を備え、前記アクチュエータベースは前記ピックアップベースに対してラジアル方向に移動可能であると共に前記カバー部材は前記ピックアップベースに対してラジアル方向に移動不能であって、前記カバー部材はラジアル方向に弾性変形可能な弾性部材を備え、前記弾性部材は前記ピックアップベースと前記アクチュエータベースの間に介在して前記アクチュエータベースのラジアル方向の振動が抑制されて前記ピックアップベースに伝わるようにすることを特徴としている。
【００１０】
また上記構成の光ピックアップにおいて、前記カバー部材は前記アクチュエータベースのラジアル方向への移動量を規制する規制手段の少なくとも一部を構成することが望ましい。
【００１１】
また上記構成の光ピックアップにおいて、前記アクチュエータベースのラジアル方向への移動量を規制する前記規制手段は前記アクチュエータベース及び前記カバー部材の一方が有する突出部と他方が有する前記突出部が挿通される孔部とから構成され、前記孔部のラジアル方向の長さを前記突出部のラジアル方向の長さよりも長く設定したことが望ましい。
【００１２】
また上記構成の光ピックアップにおいて、前記光学系としてレンズを保持するレンズホルダを有し、前記カバー部材は前記アクチュエータベースと共に前記レンズホルダのフォーカス方向への移動量を規制する規制手段を構成することが望ましい。
【００１３】
また上記構成の光ピックアップにおいて、前記突出部と前記孔部の間に前記弾性部材が設けられていることを特徴とすることが望ましい。
【００１４】
また上記構成の光ピックアップにおいて、前記ピックアップベースは合成樹脂製であることが望ましい。
【発明の効果】
【００１５】
本発明によれば、アクチュエータベースはピックアップベースに支持され、カバー部材はアクチュエータベースに取り付けられる。そしてアクチュエータベースはピックアップベースに対してラジアル方向に移動可能であるのに対して、カバー部材はピックアップベースに対してラジアル方向に移動不能とされる。カバー部材はピックアップベースとアクチュエータベースの間に介在しており、ラジアル方向に弾性変形可能な弾性部材を備えている。そしてアクチュエータベースがラジアル方向に移動した場合に、弾性部材がアクチュエータベースのラジアル方向の振動を抑制するのでピックアップベースに伝わる振動は減衰された振動となり、ピックアップベースの振動は小さいので安定したサーボ特性を維持することができる。
【図面の簡単な説明】
【００１６】
【図１】光ピックアップの構成を示す上面図
【図２】光ピックアップの光学系の構成を示す概略構成図
【図３】対物レンズアクチュエータの構成を示す上面図
【図４】対物レンズアクチュエータの構成を示す正面図
【図５】対物レンズアクチュエータの構成を示す左側面図
【図６】対物レンズアクチュエータの構成を示す右側面図
【図７】一方のヨークの構成を示す左側面図
【図８】一方のヨークの構成を示す上面図
【図９】カバー部材の第１の例の構成を示す斜視図
【図１０】カバー部材の第１の例の構成を示す上面図
【図１１】カバー部材の第１の例の構成を示す正面図
【図１２】カバー部材の第１の例の構成を示す左側面図
【図１３】カバー部材の第１の例の構成を示す右側面図
【図１４】カバー部材の取付構造を示す右側面図
【図１５】カバー部材の取付構造を示す正面図
【図１６】図１４のＡ−Ａ断面図
【図１７】カバー部材の第２の例の構成を示す斜視図
【図１８】カバー部材の第２の例の構成を示す上面図
【図１９】カバー部材の第２の例の構成を示す正面図
【図２０】カバー部材とピックアップベースの接着箇所を示す拡大模式図
【発明を実施するための形態】
【００１７】
＜第１実施形態＞
以下に本発明の光ピックアップについて図面を参照して説明する。なお、以下に示す実施形態は、本発明の技術的思想を具体化するために光ピックアップの一例を示すものであって、本発明をこの光ピックアップに特定することを意図するものではなく、特許請求の範囲に含まれるその他の実施形態の光ピックアップにも等しく適応し得るものである。
【００１８】
なお、本明細書では図１及び図３〜図６に示すＸＹＺ座標で、Ｘ軸方向を左右、Ｙ軸方向を前後、Ｚ軸方向を上下とする。詳細には、図１の紙面に対して右手側を右側、左手側を左側とする。また、図１の紙面に対して上側を背面側、下側を正面側とする。また、図１の紙面に対して手前側を上面側、奥側を下面側とする。なお、Ｘ軸方向、Ｙ軸方向、Ｚ軸方向は夫々タンジェンシャル方向、ラジアル方向、フォーカス方向と言い換えることができる。
【００１９】
図１は光ピックアップ１の構成を示す上面図である。図２は光ピックアップ１の光学系の構成を示す概略構成図である。光ピックアップ１は合成樹脂製のピックアップベース２、ピックアップベース２の内部に配置される対物レンズアクチュエータ３を備える。
【００２０】
ピックアップベース２の右端には２個の軸受部Ｂ１、Ｂ２が互いに間隔を置く形で形成され、ピックアップベース２の左端には１個の軸受部Ｂ３が形成される。光ディスク装置内には２本の水平なガイドシャフトＧＳが互いに間隔を置き且つ平行する形で配置されている。一方のガイドシャフトＧＳは軸受部Ｂ１、Ｂ２を支持し、他方のガイドシャフトＧＳは軸受部Ｂ３を支持する。ピックアップベース２には図示しないモータの駆動力が伝えられ、ピックアップベース２は２本のガイドシャフトＧＳによりガイドシャフトＧＳの軸線方向、言い換えるとＹ軸方向に摺動可能に支持される。
【００２１】
対物レンズアクチュエータ３上には光ピックアップ１の光学系を構成する部材が搭載される。以下、光ピックアップ１の光学系について詳説する。本実施形態の光ピックアップ１は、ＢＤ、ＤＶＤ、及びＣＤに対して情報の読み取りと情報の書き込みを可能に設けられている。
【００２２】
光ピックアップ１は２種類の光学系を備える。このうちの一方はＢＤ用の光学系であり、他方はＤＶＤ及びＣＤ（ＤＶＤ／ＣＤ）用の光学系である。この２種類の光学系は、光ピックアップ１によって情報の読み取りや書き込みが行われる光ディスクＤの種類（ここでは、ＢＤ、ＤＶＤ、及びＣＤのうちのいずれか）によって切り換えて使用される。以下、ＢＤ用の光学系、ＤＶＤ／ＣＤ用の光学系について、別々に説明する。
【００２３】
ＢＤ用の光学系は、第１レーザダイオード１１、回折素子１２、偏光ビームスプリッタ１３、第１コリメートレンズ１４、１／４波長板１５、第１立ち上げミラー１６、第１対物レンズ１７、第１シリンドリカルレンズ１８及び第１フォトディテクタ１９を備える。
【００２４】
第１レーザダイオード１１は波長４０５ｎｍ帯の光ビーム（レーザ光）を出射する光源である。第１レーザダイオード１１から出射された光ビームは、回折素子１２によって主ビームと２つの副ビームとに分けられる。回折素子１２から出射した光ビームは、偏光ビームスプリッタ１３で反射され、第１コリメートレンズ１４に送られる。
【００２５】
第１コリメートレンズ１４は図示しない駆動手段によって光軸方向（図２に示す矢印の方向）に移動可能となっており、その位置によって、第１対物レンズ１７に入射する光ビームの収束発散状態を変化させる。このような構成とするのは、球面収差の補正を行えるようにするためである。
【００２６】
第１コリメートレンズ１４から出射された光ビーム（平行光）は、偏光ビームスプリッタ１３と協働して光アイソレータとして機能する１／４波長板１５を通過し、第１立ち上げミラー１６によって反射されて第１対物レンズ１７に入射する。第１対物レンズ１７は入射した光ビームを光ディスクＤの情報記録面Ｄｒに集光する。
【００２７】
光ディスクＤで反射された光ビームは第１対物レンズ１７を透過後、第１立ち上げミラー１６で反射され、１／４波長板１５、第１コリメートレンズ１４の順に透過後、更に偏光ビームスプリッタ１３も透過する。偏光ビームスプリッタ１３を透過した光ビームは、非点収差を補正する機能を有する第１シリンドリカルレンズ１８を透過して、第１フォトディテクタ１９の受光面に集光される。第１フォトディテクタ１９は入射した光信号を電気信号に変換して出力する。ここで出力された電気信号は図示しない信号処理部で処理されて、再生信号や、フォーカスエラー信号や、トラッキングエラー信号等となる。
【００２８】
次に、ＤＶＤ／ＣＤ用の光学系について説明する。ＤＶＤ／ＣＤ用の光学系は、第２レーザダイオード２１、ハーフミラー２２、第２コリメートレンズ２３、第２立ち上げミラー２４、第２対物レンズ２５、第２シリンドリカルレンズ２６及び第２フォトディテクタ２７を備える。
【００２９】
第２レーザダイオード２１は波長６５０ｎｍ帯の光ビームと、波長７８０ｎｍ帯の光ビームと、を切り換えて出射できる２波長レーザである。第２レーザダイオード２１から出射された光ビームはハーフミラー２２で反射されて第２コリメートレンズ２３に送られ、平行光に変換される。
【００３０】
第２コリメートレンズ２３から出射された光ビーム（平行光）は第２立ち上げミラー２４で反射され、第２対物レンズ２５に入射し、光ディスクＤの記録面Ｄｒに集光される。
【００３１】
光ディスクＤで反射された光ビームは第２対物レンズ２５を透過後、第２立ち上げミラー２４で反射され、第２コリメートレンズ２３、ハーフミラー２２の順に透過し、非点収差を付与する機能を有する第２シリンドリカルレンズ２６を透過して、第２フォトディテクタ２７の受光面に集光される。第２フォトディテクタ２７は入射した光信号を電気信号に変換して出力する。ここで出力された電気信号は図示しない信号処理部によって処理されて、再生信号や、フォーカスエラー信号や、トラッキングエラー信号等となる。
【００３２】
第１対物レンズ１７と第２対物レンズ２５とは対物レンズアクチュエータ３（詳細は後述）によって、フォーカス方向、ラジアル方向、チルト方向に移動せしめられる。これにより、光ピックアップ１におけるフォーカシング制御、トラッキング制御、チルト制御が可能となっている。
【００３３】
以下さらに図３〜図６も参照して対物レンズアクチュエータ３について詳説する。図３は対物レンズアクチュエータ３の構成を示す上面図である。図４は対物レンズアクチュエータ３の構成を示す正面図である。図５は対物レンズアクチュエータ３の構成を示す左側面図である。図６は対物レンズアクチュエータ３の構成を示す右側面図である。
【００３４】
対物レンズアクチュエータ３はピックアップベース２の内部に配置される強磁性のアクチュエータベース３１、第１対物レンズ１７及び第２対物レンズ２５を保持するレンズホルダ３２、永久磁石３３、ゲルホルダ３４、プリント基板３５、フレキシブルプリント基板３６、ワイヤ（棒状弾性支持部材）３７及びカバー部材（アクチュエータカバー）３８を備える。
【００３５】
アクチュエータベース３１には、そのほぼ中央に光ビームを通過させる貫通孔（図示せず）が形成されている。そして、この貫通孔の上にレンズホルダ３２が配置される構成となっている。なお、本実施形態では第１対物レンズ１７及び第２対物レンズ２５をタンジェンシャル方向に配置する構成としているがこれに限られるものではない。例えば第１対物レンズ１７及び第２対物レンズ２５をラジアル方向に配置する構成等としてもよい。
【００３６】
レンズホルダ３２は、液晶ポリマ（ＬＣＰ）等の樹脂によって形成され、対物レンズ１７、２５を保持する。本実施形態においては、光ピックアップ１が２つの対物レンズ１７、２５を有する構成となっているために、レンズホルダ３２には２つの対物レンズ１７、２５を保持できるように２つの保持部（図示せず）が設けられる。２つの保持部はそれぞれ光ビームを通過させる光路孔（図示せず）と繋がっており、これにより第１レーザダイオード１１からの光ビームが第１対物レンズ１７を、第２レーザダイオード２１からの光ビームが第２対物レンズ２５を通過するようになっている。
【００３７】
レンズホルダ３２の内壁には内壁に沿ってフォーカスコイル（図示せず）が配置される。また、レンズホルダ３２の外壁（永久磁石３３に対向する側壁）には、トラッキングコイル（図示せず）がそれぞれ一本ずつ接着剤等で貼り付けられている。また、レンズホルダ３２の内部であってフォーカスコイルの下部側にはラジアル方向に対称配置されるチルトコイルが取り付けられている。各コイルはいずれも略矩形状に巻回され、ワイヤ３７を介してプリント基板３５から電流が供給される。
【００３８】
レンズホルダ３２は後述するワイヤ３７によってアクチュエータベース３１に対して揺動可能に支持されている。
【００３９】
一対の永久磁石３３はアクチュエータベース３１上に、レンズホルダ３２を挟むようにタンジェンタル方向に対称配置される。なお、永久磁石３３によって作られる磁束を効率よく利用するためにアクチュエータベース３１の一部を折り曲げてヨーク３１０が形成される。一対のヨーク３１０は夫々一対の永久磁石３３の外面側に対向するように形成され、ヨーク３１０が永久磁石３３の外面側に磁着される。
【００４０】
なお、ヨーク３１０のうちゲルホルダ３４側に形成されるヨーク３１０（以降の説明及び図面等において「ゲルホルダ３４側に形成されるヨーク３１０」を「ヨーク３１０ａ」と称する。）は上述したようにベース３１の中央に貫通孔を形成する際に、ベース３１において刳り貫かれる部分（刳り貫き部）の全部又は一部を折り曲げることによって形成される。他方のヨーク３１０（以降の説明及び図面等において「他方のヨーク３１０」すなわち「ヨーク３１０のうちヨーク３１０ａではないヨーク３１０」を「ヨーク３１０ｂ」と称する。）はアクチュエータベース３１の端部の全部又は一部を折り曲げることによって形成される。
【００４１】
ポリカーボネート等の樹脂成形品から成るゲルホルダ３４は、ヨーク３１０ａの外面側（ヨーク３１０ａにおいて、レンズホルダ３２及び永久磁石３３に対向する側の反対側）に配置される。ゲルホルダ３４には、シリコンを主成分とするゲル材が充填される。このゲル材は、低粘度のゲル材（ゾル）がゲルホルダ３４に注入された後、所定時間の紫外線照射によってゲル状に硬化したものである。ゲルホルダ３４には複数の貫通孔（図示せず）が設けられており、各貫通孔に各ワイヤ３７が挿通されることによってレンズホルダ３２の駆動に伴うワイヤ３７の振動が減衰される。
【００４２】
プリント基板３５は、ゲルホルダ３４の外側面（ゲルホルダ３４において、ヨーク３１０に対向する面の反対側の面）に固定配置され、また、プリント基板３５の外側面（リジットプリント基板３５において、ゲルホルダ３４と接触する面と反対側面）にはフレキシブルプリント基板３６が固定配置されている。プリント基板３５とフレキシブルプリント基板３６とは、光ピックアップ１全体を制御する制御部からの信号を受信して、対物レンズアクチュエータ３に伝達するための回路基板である。
【００４３】
ゲルホルダ３４に対するプリント基板３５の固定は、熱硬化性の接着剤を用いて行われる。ただし、接着剤による固定に加えてビス止めを行ったり、半田による固定を行ったりしても構わない。
【００４４】
板金部材からなるカバー部材３８はヨーク３１０ｂの外側面上部及びヨーク３１０ｂに対向する永久磁石３３の上側面を覆うようにヨーク３１０ｂ及び永久磁石３３に跨って取り付けられる。カバー部材３８の形状及びカバー部材３８の取付け構造について以下詳説する。
【００４５】
図７はヨーク３１０ｂの構成を示す左側面図（ヨーク３１０ｂの外面側を示す図）である。図８はヨーク３１０ｂの構成を示す上面図である。図９はカバー部材３８の第１の例の構成を示す斜視図である。図１０はカバー部材３８の第１の例の構成を示す上面図である。図１１はカバー部材３８の第１の例の構成を示す正面図である。図１２はカバー部材３８の第１の例の構成を示す左側面図である。図１３はカバー部材３８の第１の例の構成を示す右側面図である。図１４はカバー部材３８の取付構造を示す右側面図である。図１５はカバー部材３８の取付構造を示す正面図である。図１６は図１４のＡ−Ａ断面図である。図１７はカバー部材３８の第２の例の構成を示す斜視図である。図１８はカバー部材３８の第２の例の構成を示す上面図である。図１９はカバー部材３８の第２の例の構成を示す正面図である。図２０はカバー部材３８とピックアップベース２の接着箇所を示す拡大模式図である。
【００４６】
まずヨーク３１０ｂの構成について図７及び図８を参照して説明する。ヨーク３１０ｂは上述したようにアクチュエータベース３１の端部が折り曲げられて形成される。ヨーク３１０ｂは光ピックアップ１が移動する際に他の部材と接触することがないように中央部が略矩形状に刳りぬかれた左側面視略コの字型のヨーク下部３１１と、左側面視略矩形状のヨーク上部３１２とを備える。
【００４７】
ヨーク下部３１１には永久磁石３３を両側面から挟み込んで永久磁石３３がアクチュエータベース３１に対してラジアル方向に移動することを規制する一対の支持部材３１１ａが形成される。
【００４８】
ヨーク上部３１２の上端中央部には永久磁石３３がアクチュエータベース３１に対して上方に移動することを規制する規制部３１３が形成される。また、ヨーク上部３１２の外面にはラジアル方向に配置された略円柱状の突起部３１４、３１５が形成される。ヨーク上部３１２のラジアル方向の長さＷ１は永久磁石３３のラジアル方向の長さよりも長く設定され、左側面視でヨーク上部３１２はヨーク３３の外側面の上部全体を覆う構成とされる。
【００４９】
なお、永久磁石３３の下方への移動はアクチュエータベース３１によって規制される。つまり、アクチュエータベース３１と規制部３１３によって永久磁石の上下方向への移動が規制される。
【００５０】
次にカバー部材３８の構成について図９〜図１５を参照して説明する。カバー部材３８はヨーク上部３１２の外面側に対向配置される外面カバー部３８１、外面カバー部材３８１の上部の両端からヨーク上部３１２及び永久磁石３３の方向に略直角に折り曲げられてヨーク上部３１２及び永久磁石３３の上面側に対向配置される上面カバー部３８２、両上面カバー部３８２の端部から下方に略直角に折り曲げられて永久磁石３３の側面側に対向配置される側面カバー部（弾性部材）３８３を備える。
【００５１】
ところでレンズホルダ３２は上述したようにワイヤ３７によってラジアル方向に駆動される。レンズホルダ３２の駆動力によってアクチュエータベース３１は反作用力を受ける。この反作用力がピックアップベース２とアクチュエータベース３１の接触部分を介してピックアップベース２に伝わることで上述したように安定したサーボ特性を維持できなくなる。そこで本実施形態では側面カバー部３８３がアクチュエータベース３１のラジアル方向への振動に伴って弾性変形可能に構成されることによってアクチュエータベース３１からピックアップベース２に伝わるラジアル方向の振動を抑制する。
【００５２】
しかしながらアクチュエータベース３１がラジアル方向へ移動する力が強い場合には側面カバー部３８３の弾性力に抗してアクチュエータベース３１が大きく移動してしまうことが考えられる。アクチュエータベース３１が過度にラジアル方向に移動することはサーボ特性の安定の観点から望ましくない。そこで本実施形態では後述する突起部と孔部とによりアクチュエータベース３１のラジアル方向への可動量を規制することで、アクチュエータベース３１が過度にラジアル方向に移動することを防ぐ。以下、各部について説明を行う。
【００５３】
外面カバー部３８１はヨーク上部３１２の突起部３１４、３１５が挿通される左側面視略楕円形状の孔部３８１ａ及び３８１ｂ、外面カバー部３８１の略中央部を永久磁石３３の方向に窪ませて形成される左側面視略楕円形状の窪み部３８１ｃ、外面カバー部３９１の下部の両端をカバー部材３８の外面に向かって折り曲げて形成される取付ガイド部３８１ｄを備える。
【００５４】
外面カバー部３８１のラジアル方向の長さＷ３（図１０、図１２参照）は、永久磁石３３のラジアル方向の長さよりやや短い長さに設定され、且つ、ヨーク上部３１２のラジアル方向の長さＷ１（図７参照）よりも短く設定される。但し、外面カバー部３８１、永久磁石３３、ヨーク上部３１２のラジアル方向の長さの関係は側面カバー部３８３を永久磁石３３の側面側から取り付け可能であれば特に限られるものではなく、例えば外面カバー部３８１のラジアル方向の長さＷ３と永久磁石３３のラジアル方向の長さとが同程度に設定されていてもよい。
【００５５】
孔部３８１ａ、３８１ｂ及び窪み部３８１ｃはラジアル方向に配置され、孔部３８１ａと３８１ｂは窪み部３８１ｃに対して略対称な位置に配される。孔部３８１ａ及び３８１ｂの高さ方向の長さＨ２（図１２参照）は、突起部３１４及び３１５が挿通可能に突起部３１４及び３１５の高さ方向の長さＨ１（図７参照）と略同程度の長さに設定され、アクチュエータベース３１の上下方向への移動が規制される。
【００５６】
つまり穴部３８１ａ、３８１ｂ及び突起部３１４、３１５はカバー部材３８をアクチュエータベース３１に取り付ける際にカバー部材３８のアクチュエータベース３１に対する上下方向の位置を決める位置決め手段を構成すると言い換えることができる。
【００５７】
孔部３８１ａ及び３８１ｂのラジアル方向の長さＷ４（図１０、図１２参照）は、突起部３１４及び３１５のラジアル方向の長さＷ２（図７参照）よりも長く設定され（図１４参照）、アクチュエータベース３１はラジアル方向に対して移動可能とされる。アクチュエータベース３１のラジアル方向への可動量（Ｗ４−Ｗ２）は特に限られるものではないが、例えば０．１ｍｍ≦Ｗ４−Ｗ２≦０．２ｍｍを満たすように設定される。つまり、突起部３１４、４１５が孔部３８１ａ、３８１ｂの略中央部に位置する場合に、突起部３１４、３１５はラジアル方向に±０．０５ｍｍ〜０．１ｍｍ程度移動可能である。
【００５８】
アクチュエータベース３１をラジアル方向に対して移動可能とすることでアクチュエータベース３１に対する対物レンズ１７、２５の位置調整を行うことができる。
【００５９】
なお、本実施形態ではヨーク上部３１２が突起部３１４、３１５を備え、カバー部材３８が孔部３８１ａ、３８１ｂを備えることとしたが、ヨーク上部３１２が孔部を備え、カバー部材３８が突起部を備える構成であってもよい。
【００６０】
上面カバー部３８２は上面視略Ｌ字状に形成され、側面カバー部３８３はＬ字形状の先端部から折り曲げ形成される。従って、外面カバー部３８１のラジアル方向の長さＷ３は永久磁石３３のラジアル方向の長さよりやや短い長さに設定され、一対の側面カバー部３８３によって永久磁石３３を両側面側から保持可能としている。
【００６１】
カバー部材３８をヨーク上部３１２にとりつけた状態で、外面カバー部３８１の外面側がピックアップベース２に接着固定されることでカバー部材３８がレンズホルダ３２と共にラジアル方向に移動しないように構成される。接着箇所、接着範囲等は特に限られるものではないが、例えば図２０に示すようにピックアップベース２に形成された取付部２ｄとカバー部材３８の略中央部とを接着剤ＧＬで接着することとすればよい。
【００６２】
なお、本実施形態ではカバー部材３８をピックアップベース２に接着固定することとしたがカバー部材３８がレンズホルダ３２と共にラジアル方向に移動しないように固定されていればよく、例えばビス止め等によって固定することとしてもよい。
【００６３】
また、カバー部材３８をピックアップベース２に接着固定することとしたが、光ピックアップ１が有する他の部材に取付部を形成し、当該取付部に接着固定することとしてもよい。
【００６４】
側面カバー部３８３はラジアル方向に弾性変更可能に構成され、アクチュエータベース３１のラジアル方向への移動に伴ってピックアップベース２に伝わる振動を抑制する。
【００６５】
なお、本実施形態では、振動抑制手段として側面カバー部３８３を、可動量規制手段として突起部３１４、３１５及び孔部３８１ａ、３８１ｂを備えているが、側面カバー部３８３による永久磁石３３の挟み込み強度を、所定の可動量を超えてアクチュエータベース３１がラジアル方向に移動することが防止できる程度に調整することとして、振動抑制手段と可動量規制手段とを同一部材（側面カバー部３８３）で実現することとしてもよい。
【００６６】
また、振動抑制手段はラジアル方向に弾性変更可能な弾性部材であればよく、側面カバー部３８３に限られるものではない。例えば突起部３１４と孔部３８１ａとの隙間及び突起部３１５と孔部３８１ｂとの隙間に弾性部材を設けてアクチュエータベース３１のラジアル方向への移動に伴ってピックアップベース２に伝わる振動を抑制することとしてもよい。具体的には突起部３１４、３１５の外壁面又は孔部３８１ａ、３８１ｂの内壁面にバネ部材或いはゴム部材等の弾性部材を設けることとすればよい。
【００６７】
外面カバー部３８１と側面カバー部３８３は上面カバー部３８２を介してタンジェンシャル方向に所定の隙間Ｇ１（図１０参照）を有して形成される。隙間Ｇ１はヨーク上部３１２の厚み方向の長さＴ１（図８参照）よりも長く設定され（図１５参照）、外面カバー部３８１と側面カバー部３８３とでヨーク上部３１２を挟み込むことでカバー部材３８がヨーク上部３１２に取り付けられる。
【００６８】
外面カバー部３８１の窪み部３８１ｃはカバー部材３８をヨーク上部３１２に取り付けた場合にヨーク上部３１２の外面側と接触するように形成される。当該構成により、隙間Ｇ１の長さをヨーク上部３１２の厚み方向の長さＴ１（図８参照）よりも長く設定した場合に外面カバー部３８１と側面カバー部３８３とが確実にヨーク上部３１２を挟み込む構成となる。
【００６９】
外面カバー部３８１の窪み部３８１ｃとヨーク上部３１２を接触させるために、隙間Ｇ１の長さよりも窪み部３８１ｃの厚み方向の長さが長くなるように設定されるので、カバー部材３８をヨーク上部３１２に取り付けた場合に外面カバー部３８１は図１６に示すように外側（外面カバー部３８１においてヨーク上部３１２に対面する側の反対側）に膨らむように湾曲する。
【００７０】
外面カバー部３８１の下部には２個の取付けガイド部３８１ｄが形成され、各側面カバー部３８３の下部には１個の取付けガイド部材３８３ａが形成される。当該構成により、カバー部材３０をヨーク上部３１２に取り付ける際に取り付け容易となる。
【００７１】
上面カバー部３８２はさらに図１７〜図１９に示すようにレンズホルダ３２の方向に延出形成される延出部３８２ａを備えることとしてもよい。延出部３８２ａはレンズホルダ３２の上面に対してフォーカス方向に所定の隙間を有して配置され、レンズホルダ３２が当該隙間の長さを超えてフォーカス方向に移動することを規制する。当該構成により、アクチュエータベース３１のラジアル方向への移動を規制する部材とレンズホルダ３２のフォーカス方向への移動を規制する部材とを同一部材とすることができ、且つ、一体に成形することができるので部品点数が減少し、コストを削減することができる。
【００７２】
上面カバー部３８２が延出部３８２ａを備える構成では特に、上述したように側面カバー部３８３が上面視略Ｌ字状の上面カバー部３８２の先端部から折り曲げ形成されることで、側面カバー部３８３を介して伝わるラジアル方向への移動力とレンズホルダ３２によるフォーカス方向への移動力が上面カバー部３８２の狭い範囲に加わることによる上面カバー部３８２の捻れが防止される。
【００７３】
以上のようにカバー部材３８をヨーク上部３１２にとりつけた状態で、カバー部材３８の外面側がピックアップベース２に接着固定されることでカバー部材３８がレンズホルダ３２と共にラジアル方向に移動しないように構成される。接着箇所、接着範囲等は特に限られるものではないが、例えば図２０に示すようにピックアップベース２に形成された取付部２ｄとカバー部材３８の略中央部とを接着剤ＧＬで接着することとすればよい。
【００７４】
なお、本実施形態ではカバー部材３８をピックアップベース２に接着固定することとしたがカバー部材３８がレンズホルダ３２と共にラジアル方向に移動しないように固定されていればよく、例えばビス止め等によって固定することとしてもよい。
【００７５】
また、カバー部材３８をピックアップベース２に接着固定することとしたが、光ピックアップ１が備えるピックアップベース２以外の部材に接着固定することとしてもよい。例えば図１に示すピックアップベース２が搭載されるピックアップアッシＡＳに取付部を形成し、当該取付部に接着固定することとしてもよい。
【００７６】
本実施形態によれば、アクチュエータベースはピックアップベースに支持され、カバー部材はアクチュエータベースに取り付けられる。そしてアクチュエータベースはピックアップベースに対してラジアル方向に移動可能であるのに対して、カバー部材はピックアップベースに対してラジアル方向に移動不能とされる。カバー部材はピックアップベースとアクチュエータベースの間に介在しており、ラジアル方向に弾性変形可能な弾性部材を備えている。そしてアクチュエータベースがラジアル方向に移動した場合に、弾性部材がアクチュエータベースのラジアル方向の振動を抑制するのでピックアップベースに伝わる振動は減衰された振動となり、ピックアップベースの振動は小さいので安定したサーボ特性を維持することができる。
【００７７】
また、カバー部材がアクチュエータベースのラジアル方向への移動量を規制する規制手段の少なくとも一部を構成している。従って、アクチュエータベースのラジアル方向へ振動力が大きい場合であってもアクチュエータベースのラジアル方向の移動量が所定の移動量に規制されるので、サーボ特性の不安定化を抑制することができる。
【００７８】
また、アクチュエータベースのラジアル方向への移動量を規制する規制手段がアクチュエータベース及びカバー部材の一方が有する突出部を他方が有する孔部とから構成され、孔部のラジアル方向の長さは突出部のラジアル方向の長さよりも長く設定される。当該構成により、アクチュエータベースのラジアル方向への移動が孔部と突出部の長さの差だけ許容されると共に孔部と突出部の長さの差以上の移動が規制される。従ってサーボ特性の不安定化を抑制すると共にアクチュエータベース３１に対する対物レンズ１７、２５の位置調整が可能である。
【００７９】
また、カバー部材がアクチュエータベースと共にレンズホルダのフォーカス方向への移動量を規制する規制手段を構成するので、レンズホルダが過度にフォーカス方向に移動することがなく、フォーカス特性の不安定化を抑制することができる。また、アクチュエータベースのラジアル方向への移動量規制と振動の抑制、及び、レンズホルダのフォーカス方向への移動量規制をカバー部材で実現することができるため部品点数が増加せず、コストの増大を防ぐことができる。
【００８０】
また、突出部と孔部の間に弾性部材が設けらることによりカバー部材全体が小型化し、コストを削減することができる。
【００８１】
また、ピックアップベースが合成樹脂製であってもアクチュエータベースの振動が抑制されてピックアップベースに伝わるので、亜鉛合金製のピックアップベースに比べてピックアップベースの軽量化及びコストの削減を実現しつつ振動を少なくすることができる。
【符号の説明】
【００８２】
１        光ピックアップ
２        ピックアップベース
３        対物レンズアクチュエータ
１１      第１レーザダイオード
１２      回折素子
１３      偏光ビームスプリッタ
１４      第１コリメートレンズ
１５      １／４波長板
１６      第１立ち上げミラー
１７      第１対物レンズ
１８      第１シリンドリカルレンズ
１９      第１フォトディテクタ
２１      第２レーザダイオード
２２      ハーフミラー
２３      第２コリメートレンズ
２４      第２立ち上げミラー
２５      第２対物レンズ
２６      第２シリンドリカルレンズ
２７      第２フォトディテクタ
３１      アクチュエータベース
３２      レンズホルダ
３３      永久磁石
３４      ゲルホルダ
３５      プリント基板
３６      フレキシブルプリント基板
３７      ワイヤ
３８      カバー部材
３１０ａ、３１０ｂ      ヨーク
３１１      ヨーク下部
３１２      ヨーク上部
３１３      規制部
３１４、３１５      突起部
３８１      外面カバー部
３８１ａ、３８１ｂ      孔部
３８１ｃ      窪み部
３８２      上面カバー部
３８２ａ      延設部
３８３      側面カバー部
【図１】
2014203479.tif 000003
【図２】
2014203479.tif 000004
【図３】
2014203479.tif 000005
【図４】
2014203479.tif 000006
【図５】
2014203479.tif 000007
【図６】
2014203479.tif 000008
【図７】
2014203479.tif 000009
【図８】
2014203479.tif 000010
【図９】
2014203479.tif 000011
【図１０】
2014203479.tif 000012
【図１１】
2014203479.tif 000013
【図１２】
2014203479.tif 000014
【図１３】
2014203479.tif 000015
【図１４】
2014203479.tif 000016
【図１５】
2014203479.tif 000017
【図１６】
2014203479.tif 000018
【図１７】
2014203479.tif 000019
【図１８】
2014203479.tif 000020
【図１９】
2014203479.tif 000021
【図２０】
2014203479.tif 000022